(57)【特許請求の範囲】
【請求項１】
複数の鍵と、
前記複数の鍵の下方に配設され、前記複数の鍵の前部がそれぞれ上下方向に揺動するように、前記複数の鍵の後端部をそれぞれ支持する鍵フレームと、
長手方向を前後方向にしてそれぞれ配置されるとともに、鍵の駆動により上下に揺動するように前記鍵フレームに支持された複数の揺動レバーであって、鍵ごとまたは鍵域ごとに異なる慣性モーメントを有する複数の揺動レバーと、
上下方向に所定間隔だけ離して設けられ、前記複数の揺動レバーとの当接により、前記複数の鍵の前端部の離鍵時における上方への変位および押鍵時における下方への変位をそれぞれ規制する一対のストッパ部材を備えた鍵盤装置において、
前記複数の揺動レバーと、前記一対のストッパ部材のうちの、前記複数の鍵の前端部の離鍵時における上方への変位を規制するストッパ部材との当接面積を鍵ごとまたは鍵域ごとに異なるように構成したことを特徴とする鍵盤装置。
【請求項２】
前記複数の揺動レバーの前後方向の長さをそれぞれ異ならせることにより、前記複数の搖動レバーの後端部と、前記複数の鍵の前端部の離鍵時における上方への変位を規制するストッパ部材との前後方向の接触長さを異ならせて、前記複数の揺動レバーと、前記複数の鍵の前端部の離鍵時における上方への変位を規制するストッパ部材との当接面積を鍵ごとまたは鍵域ごとに異ならせるようにした請求項１に記載の鍵盤装置。
【請求項３】
前記複数の鍵の前端部の離鍵時における上方への変位を規制するストッパ部材の前後方向の幅を鍵ごとまたは鍵域ごとに異ならせることにより、前記複数の揺動レバーと、前記複数の鍵の前端部の離鍵時における上方への変位を規制するストッパ部材との当接面積を鍵ごとまたは鍵域ごとに異ならせるようにした請求項１または２に記載の鍵盤装置。
【請求項４】
複数の鍵と、
前記複数の鍵の下方に配設され、前記複数の鍵の前部がそれぞれ上下方向に揺動するように、前記複数の鍵の後端部をそれぞれ支持する鍵フレームと、
長手方向を前後方向にしてそれぞれ配置されるとともに、鍵の駆動により上下に揺動するように前記鍵フレームに支持された複数の揺動レバーであって、鍵ごとまたは鍵域ごとに異なる慣性モーメントを有する複数の揺動レバーと、
上下方向に所定間隔だけ離して設けられ、前記複数の揺動レバーとの当接により、前記複数の鍵の前端部の離鍵時における上方への変位および押鍵時における下方への変位をそれぞれ規制する一対のストッパ部材を備えた鍵盤装置において、
前記一対のストッパ部材のうちの、前記複数の鍵の前端部の離鍵時における上方への変位を規制するストッパ部材の構造および材質の少なくとも一つを鍵ごとまたは鍵域ごとに異ならせるように構成したことを特徴とする鍵盤装置。
【発明の詳細な説明】
【技術分野】
【０００１】
本発明は、電子オルガン、電子ピアノなどの鍵盤楽器に用いられる鍵盤装置に関する。
【背景技術】
【０００２】
従来から、例えば下記特許文献１に示されているように、複数の鍵をそれらの後端部にて鍵フレームに上下方向に揺動可能に支持させるとともに、鍵ごとまたは鍵域ごとに異なる慣性モーメントを有する複数の揺動レバーを、鍵の駆動により上下に揺動するように、鍵の下方にて鍵フレームに支持させた鍵盤装置は知られている。そして、この鍵盤装置においては、鍵の押鍵および離鍵時に、揺動レバーを、鍵フレームに上下方向に所定間隔を設けて組み付けた上限ストッパ部材および下限ストッパ部材に当接させることにより、鍵および揺動レバーの揺動範囲をそれぞれ規制するようにしている。
【０００３】
また、下記特許文献２に示されているように、複数の鍵をそれらの中間部にて上下方向に揺動可能に鍵フレームに支持させ、鍵ごとまたは鍵域ごとに異なる慣性モーメントを有する複数の揺動レバーを、鍵の駆動により上下に揺動するように、鍵の上方かつ後方位置にて鍵フレームに支持させた鍵盤装置も知られている。そして、この鍵盤装置においては、押鍵時に揺動レバーの後端下面を鍵の後方にて鍵フレームに固定したストッパ部材に当接させて鍵前端部の下限を規制するとともに、離鍵時に鍵の後端下面を鍵の下方にて鍵フレームに固定したストッパ部材に当接させることにより鍵前端部の上限を規制するようにしている。また、この鍵盤装置においては、前記鍵の後方に設けたストッパ部材の下限ストッパの材質、硬度、厚み、大きさ、配置、形状の要素の少なくとも1つを鍵域ごとに異ならせて、揺動レバーの停止の態様および戻り速度を調整できるようにしている。
【特許文献１】特開平９−１９８０３７号公報
【特許文献２】特許第３６２４７７７号公報
【発明の開示】
【０００４】
上記のような従来の鍵盤装置においては、揺動レバーは、低音域ほど慣性モーメントが大きく構成されており、押鍵時および離鍵時に上限ストッパ部材および下限ストッパ部材に加わる衝撃力も低音域ほど大きい。そして、これらの上限ストッパ部材および下限ストッパ部材は、押鍵時および離鍵時に鍵の揺動を規制するものであり、演奏者に対して、押鍵時および離鍵時の鍵ストップ感を与えるものである。したがって、前者の従来技術のように、揺動レバーを鍵の下方にて鍵フレームに支持させた鍵盤装置においては、上限ストッパ部材および下限ストッパ部材が、全鍵域にわたって均一に構成されているため、上限ストッパ部材および下限ストッパ部材をいずれかの鍵域に適したように構成すると、演奏者は他の鍵域における鍵ストップ感に対して違和感を覚える。また、後者の従来技術のように、揺動レバーを鍵の上方かつ後方位置にて鍵フレームに支持させた鍵盤装置においては、押鍵時の鍵の揺動を規制する下限ストッパ部材の材質、硬度、厚み、大きさ、配置、形状の要素の少なくとも1つを鍵域ごとに異ならせているものの、上限ストッパ部材は全鍵域に渡って均一に構成されているので、離鍵時の鍵ストップ感において、前記のような違和感を覚える。
【０００５】
本発明は、このような従来の欠点を解消するためになされたもので、その目的は、離鍵時における鍵ストップ感をいずれの鍵域においても良好にした鍵盤装置を提供することにある。
【０００６】
前記目的を達成するために、本発明の特徴は、複数の鍵と、複数の鍵の下方に配設され、複数の鍵の前部がそれぞれ上下方向に揺動するように、複数の鍵の後端部をそれぞれ支持する鍵フレームと、長手方向を前後方向にしてそれぞれ配置されるとともに、鍵の駆動により上下に揺動するように鍵フレームに支持された複数の揺動レバーであって、鍵ごとまたは鍵域ごとに異なる慣性モーメントを有する複数の揺動レバーと、上下方向に所定間隔だけ離して設けられ、複数の揺動レバーとの当接により、複数の鍵の前端部の離鍵時における上方への変位および押鍵時における下方への変位をそれぞれ規制する一対のストッパ部材を備えた鍵盤装置において、複数の揺動レバーと、一対のストッパ部材のうちの、複数の鍵の前端部の離鍵時における上方への変位を規制するストッパ部材との当接面積を鍵ごとまたは鍵域ごとに異なるように構成したことにある。
【０００７】
この場合、複数の揺動レバーの前後方向の長さをそれぞれ異ならせることにより、複数の搖動レバーの後端部と、複数の鍵の前端部の離鍵時における上方への変位を規制するストッパ部材との前後方向の接触長さを異ならせて、複数の揺動レバーと、複数の鍵の前端部の離鍵時における上方への変位を規制するストッパ部材との当接面積を鍵ごとまたは鍵域ごとに異ならせるようにするとよい。また、複数の鍵の前端部の離鍵時における上方への変位を規制するストッパ部材の前後方向の幅を鍵ごとまたは鍵域ごとに異ならせることにより、前記当接面積を鍵ごとまたは鍵域ごとに異ならせるようにしてもよい。また、前記複数の揺動レバーの前後方向の長さに加えて、複数の鍵の前端部の離鍵時における上方への変位を規制するストッパ部材の前後方向の幅を鍵ごとまたは鍵域ごとに異ならせることにより、前記当接面積を鍵ごとまたは鍵域ごとに異ならせるようにしてもよい。より具体的には、低音域ほど前記当接面積を大きくするとよい。
【０００８】
このように構成した本発明においては、揺動レバーと、複数の鍵の前端部の離鍵時における上方への変位を規制するストッパ部材との当接面積を鍵ごとまたは鍵域ごとに異ならせるようにしたので、鍵ごとまたは鍵域ごとに異なる衝撃力を適正に緩和することができ、離鍵時において、全鍵域にわたって良好な鍵ストップ感を演奏者に与えることができる。また、揺動レバーと、複数の鍵の前端部の離鍵時における上方への変位を規制するストッパ部材との当接面積を鍵ごとまたは鍵域ごとに異ならせるために、複数の鍵の前端部の離鍵時における上方への変位を規制するストッパ部材の前後方向の幅を異ならせ、または揺動レバーの前後方向の長さを異ならせるようにしたので、簡単な構成により前記良好な鍵ストップ感を実現できる。
【０００９】
また、揺動レバーと、複数の鍵の前端部の離鍵時における上方への変位を規制するストッパ部材との当接面積を鍵ごとまたは鍵域ごとに異ならせる前述した構成に代えて、複数の鍵の前端部の離鍵時における上方への変位を規制するストッパ部材の構造および材質の少なくとも一つを鍵ごとまたは鍵域ごとに異ならせるように構成してもよい。これによっても、鍵ごとまたは鍵域ごとに異なる衝撃力を適正に緩和することができ、演奏者は離鍵時において、全鍵域にわたって良好な鍵ストップ感を演奏者に与えることができる。
【発明を実施するための最良の形態】
【００１０】
以下、本発明の一実施形態について図面を用いて説明すると、図１は同実施形態に係る鍵盤装置の平面図である。図２Ａは鍵盤装置の縦断側面図であり、図２Ｂは一つの白鍵を押鍵した状態を示す鍵盤装置の縦断側面図である。この鍵盤装置は、横方向に配置された白鍵および黒鍵からなる複数の鍵１０を備えている。複数の鍵１０は、合成樹脂により一体成形した鍵フレーム２０に組み付けられている。鍵フレーム２０は支持台３０上に固定されており、鍵フレーム２０には複数の鍵１０に対応した複数の揺動レバー４０が複数の鍵１０の下方にてそれぞれ組み付けられている。
【００１１】
鍵１０は、下方を開放させて断面コ字状に合成樹脂により一体成形され、後端部１１を鍵フレーム２０の後端部２１に設けられて前方に開口した凹部に勘合させて、後端部１１の側面を支点に前端部１２を上下方向に揺動可能に鍵フレーム２０に支持されている。鍵１０の前端部１２には、鍵フレーム２０の前端水平部に立設された鍵ガイド２２が下方から侵入しており、鍵１０の前端部１２は押鍵時に鍵ガイド２２に案内されて垂直に変位する。また、前端水平部上にはフェルト等を重ねた長尺の鍵ストッパ２３も鍵盤横方向に延設されて固着され、同ストッパ２３は鍵１０の前端部１２の下方への変位を規制する。ただし、この鍵ストッパ２３は演奏による通常の押鍵時に鍵１０の下方への変位を規制するものではなく、同通常の押鍵時には鍵１０の前端部下端面は鍵ストッパ２３の上面から離間した状態にある。一方、鍵１０の上に重い物を置いたりした場合などのように、非常に大きな下方への力が鍵１０に加わった場合には、鍵ストッパ２３が鍵１０の下方への変位を規制して鍵１０の異常な変形による破壊を防止する。
【００１２】
鍵１０の前端部１２近傍の前部分下面には、同下面からほぼ垂直下方に延設した駆動部１３が一体的に形成されている。駆動部１３は、後方を開放させて水平断面コ字状に形成され、下端は下端部１３ａにより閉じている。下端部１３ａの下面には、図示省略した弾性部材が組み付けられている。
【００１３】
揺動レバー４０は、合成樹脂製のレバー基部４１と金属製の質量体４２とにより構成されている。レバー基部４１は長尺状かつ平板状に成形されて、長手方向を前後方向にかつ板面を垂直に鍵１０の前部分下方に配置されている。レバー基部４１は下面中央部にて切り欠いた鍵盤横方向を軸線とする凹部４１ａを有し、凹部４１ａは軸線方向に厚肉に成形されている。この凹部４１ａは前方斜め下方にて開放されていて、鍵フレーム２０の前方下端位置から後方斜め上方に延設された傾斜板２４の上端部に設けた回動支持部２５に組み付けられている。回動支持部２５は鍵盤横方向に延設されている。これにより、揺動レバー４０は、鍵フレーム２０に上下に揺動可能に支持される。
【００１４】
この揺動レバー４０は板ばね５１により前方（図示左方向）に付勢されている。板ばね５１は、前端にてレバー基部４１の凹部４１ｂに係合し、鍵フレーム２０の中間部に設けた開口部２６を介して鍵１０の下面から鍵１０内に侵入している。そして、板ばね５１の後端部は、鍵１０の後端部１１の内面に当接している。レバー基部４１の前端部には、所定の隙間を隔てて上下方向に二股に分けた一対の脚部４１ｃ，４１ｄが形成され、上方に位置する脚部４１ｃは下方に位置する脚部４１ｄより短く設定されている。両脚部４１ｃ，４１ｄの間には、鍵１０の駆動部１３の下端部１３ａが侵入して両脚部４１ｃ，４１ｄに係合している。これにより、鍵１０の離鍵時には、自重による揺動レバー４０の前端部の上方の変位により、鍵１０の前端部は上方へ変位している。一方、鍵１０の押鍵時には、駆動部１３の下端部１３ａの下端面が脚部４１ｃの上面を押圧し、揺動レバー４０の前端部は下方へ変位する。
【００１５】
レバー基部４１の下面には、凹部４１ａと脚部４１ｄとの間にて、下方に突出したスイッチ駆動部４１ｅが形成されている。スイッチ駆動部４１ｅは、傾斜板２４に設けた貫通窓２４ａを介してプリント基板６０上に組み付けたスイッチ６１に対向している。プリント基板６０は傾斜板２４の下面に同板２４とほぼ平行に組み付けられており、スイッチ６１は鍵１０ごとに設けられて鍵盤横方向に配列されている。
【００１６】
質量体４２は棒状に成形され、その前部外周上にレバー基部４１をアウトサート成形することによりレバー基部４１に一体的に組み付けられている。質量体４２の後部は折り曲げて重ね合わされており、この折り曲げ部分４２ａの長さをそれぞれ異ならせることにより質量体４２の重さを異ならせている。具体的には、隣接する白鍵１０および黒鍵１０との間では、各鍵１０，１０の押圧位置上方への回転モーメントがほぼ等しくなるように設定される。また、白鍵１０においても、黒鍵１０においても、低音鍵に対して重い質量体４２を用い、高音側に向かうにしたがって質量体４２の重さを軽く設定し、前記回転モーメントが低音側で大きく高音側に向かうにしたがって小さくなるようになっている。
【００１７】
また、鍵フレーム２０の後端部に位置する支持台３０の上面には、下限ストッパ部材７０が鍵盤横方向に延設して固着されている。この下限ストッパ部材７０は、揺動レバー４０の後端部の下方への変位を規制することにより、鍵１０の離鍵時における鍵１０の前端部の上方への変位を規制する。また、鍵フレーム２０の後端部に位置する上面板２７の下面には、長尺の上限ストッパ部材８０が下限ストッパ部材７０と上下方向に所定距離だけ隔てて下方を向けて鍵盤横方向に延設して固着されている。この上限ストッパ部材８０は、揺動レバー４０の後端部の上方への変位を規制することにより、鍵１０の押鍵時における鍵１０の下方への変位を規制する。
【００１８】
次に、これらの下限ストッパ部材７０および上限ストッパ部材８０の構成について詳しく説明する。これらの下限ストッパ部材７０および上限ストッパ部材８０は、共にフェルトなどの弾性を有する衝撃吸収材を複数枚上下に重ねることによって構成されており、図３Ａに示すように、前後方向の幅を鍵域ごとに異ならせている。本実施形態においては、複数の鍵１０を４つの鍵域に分割して、下限ストッパ部材７０および上限ストッパ部材８０の各前後方向の幅を、最低音域において最も広く、高音域に向かうに従って狭く設定している。なお、この鍵域に関しては、４つより少ない複数の鍵域に分割してもよいし、４つより多くの複数の鍵域に分割してもよい。要は、複数の鍵域において、下限ストッパ部材７０および上限ストッパ部材８０の各前後方向の幅を、低音域ほど広く、高音域ほど狭くすればよい。さらに、各鍵１０ごとに、低音ほど広く、高音ほど狭く、下限ストッパ部材７０および上限ストッパ部材８０の各前後方向の幅を設定するようにしてもよい。これにより、揺動レバー４０の質量体４２が下限ストッパ部材７０および上限ストッパ部材８０に当接する際の当接面積が、低音域（低音）ほど大きく、高音域（高音）ほど小さくなる。
【００１９】
次に、上記のように構成した鍵盤装置の動作を説明する。鍵１０を押鍵操作しない状態では、揺動レバー４０の質量体４２の後端部はその自重により下限ストッパ部材７０に当接しており、揺動レバー４０および鍵１０は図２Ａに示した状態にある。この状態で、鍵１０を押鍵操作すると、鍵１０は揺動レバー４０の質量体４２の自重に対抗して後端部１１を支点に図２Ａにて反時計回りに揺動し始める。そして、鍵１０が所定の深さまで押鍵されると、質量体４２の後端部が図２Ｂに示すように上限ストッパ部材８０に当接して鍵１０の前端部の下方への変位が規制される。そして、鍵１０を離鍵すれば、質量体４２の後端が下限ストッパ部材７０に当接するまで、質量体４２の自重により揺動レバー４０は回動支持部２５を支点に図２Ｂにて時計方向に揺動して原点位置に復帰する。
【００２０】
上記のように構成した実施形態によれば、鍵１０の離鍵時および押鍵時における質量体４２と、下限ストッパ部材７０および上限ストッパ部材８０の双方との当接面積を鍵ごとまたは鍵域ごとに異ならせるようにしたので、鍵ごとまたは鍵域ごとに異なる衝撃力を適正に緩和することができ、押鍵時および離鍵時の両方において、全鍵域にわたって良好な鍵ストップ感を演奏者に与えることができる。また、質量体４２と、下限ストッパ部材７０および上限ストッパ部材８０の双方との当接面積を鍵ごとまたは鍵域ごとに異ならせるために、下限ストッパ部材７０および上限ストッパ部材８０の前後方向の長さを鍵域に応じて異ならせるようにしたので、簡単な構成により前記良好な鍵ストップ感を実現できる。
【００２１】
さらに、本発明の実施にあたっては、上記実施形態に限定されるものではなく、本発明の目的を逸脱しない限りにおいて種々の変更が可能である。
【００２２】
例えば、上記実施形態においては、下限ストッパ部材７０および上限ストッパ部材８０の前後方向の幅を鍵ごとまたは鍵域ごとに異ならせるようにした。しかし、これに代えまたは加えて、下限ストッパ部材７０および上限ストッパ部材８０の構造または材質を鍵ごとまたは鍵域ごとに異ならせるようにしてもよい。
【００２３】
例えば、図３Ｂに示すように、下限ストッパ部材７０および上限ストッパ部材８０を、上下両側に設けた１層または複数層の衝撃吸収部材層７１，７２，７３の間に、弾性部材層７４を介在させる。弾性部材層７４は、低音域ほど弾性係数が大きく、高音域になるに従って弾性係数が小さくなるように構成する。図３Ｂの例では、低音域から高音域に向かうに従って、すなわち弾性部材層７４ａ，７４ｂ，７４ｃ，７４ｄの順に弾性係数が小さくなるようにしている。この弾性部材層７４の材料としては、フェルトを用いてもよいが、ゴム、樹脂などの材料を用いてもよい。なお、この場合も、上記実施形態の場合と同様に、低音ほど弾性係数が大きければ、分割する鍵域数を４以外にしてもよいし、鍵１０ごとに弾性係数を異なるようにしてもよい。これによっても、鍵ごとまたは鍵域ごとに異なる衝撃力を適正に緩和することができ、押鍵時および離鍵時の両方において、全鍵域にわたって良好な鍵ストップ感を演奏者に与えることができる。
【００２４】
また、図３Ｃに示すように、前記図３Ｂのように、弾性部材層７４ａ，７４ｂ，７４ｃ，７４ｄの弾性係数を高音域ほど小さくするのに加えて、同弾性部材層７４ａ，７４ｂ，７４ｃ，７４ｄの厚み（上下方向の長さ）を高音域ほど小さくするようにしてもよい。この場合も、上記実施形態の場合と同様に、低音ほど弾性係数が大きくかつ厚みが大きければ、分割する鍵域数を４以外にしてもよいし、鍵１０ごとに弾性係数および厚みを異なるようにしてもよい。これによれば、鍵ごとまたは鍵域ごとに異なる衝撃力をさらに適正に緩和することができ、押鍵時および離鍵時の両方において、全鍵域にわたって良好な鍵ストップ感を演奏者に与えることができる。
【００２５】
また、上記実施形態においては、下限ストッパ部材７０および上限ストッパ部材８０の前後方向の長さを鍵域ごとまたは鍵ごとに異ならせることにより、鍵１０の離鍵および押鍵時における質量体４２と下限ストッパ部材７０および上限ストッパ部材８０との接触面積を鍵域ごとまたは鍵ごとに異ならせるようにした。しかし、これに代えて、図４(Ａ)〜(Ｄ)に示すように、質量体４２の折り曲げ部分４２ａの長さを調節することにより、質量体４２の前後方向の長さを鍵域ごとに異ならせることにより、鍵１０の離鍵および押鍵時における質量体４２と下限ストッパ部材７０および上限ストッパ部材８０との接触面積を鍵域ごとまたは鍵ごとに異ならせるようにしてもよい。すなわち、低音域から高音域に向かうに従って質量体４２（揺動レバー４０）の前後方向の長さを短くすることにより、鍵１０の離鍵および押鍵時における質量体４２と下限ストッパ部材７０および上限ストッパ部材８０との接触面積を小さくするようにする。
【００２６】
この場合も、分割する鍵域数を４以外にしてもよいし、鍵１０ごとに質量体４２（揺動レバー４０）の長さを異なるようにしてもよい。これによれば、上記実施形態と同様に、簡単な構成で、鍵ごとまたは鍵域ごとに異なる衝撃力をさらに適正に緩和することができ、押鍵時および離鍵時の両方において、全鍵域にわたって良好な鍵ストップ感を演奏者に与えることができる。さらに、上記実施形態のように下限ストッパ部材７０および上限ストッパ部材８０の前後方向の長さを鍵域ごとまたは鍵ごとに異ならせることに加えて、質量体４２（揺動レバー４０）の長さを鍵域ごとまたは鍵ごとに異ならせて、鍵１０の離鍵および押鍵時における質量体４２と下限ストッパ部材７０および上限ストッパ部材８０との接触面積が鍵域ごとまたは鍵ごとに異ならせるように、すなわち前記接触面積が高音域（高音）になるに従って小さくなるようにしてもよい。
【００２７】
また、上記実施形態においては、揺動レバー４０は、その前端部にて鍵１０の駆動部１３と係合して揺動するように構成した。しかし、これに代えて、揺動レバー４０は、その後端部にて鍵１０に設けた駆動部と係合して揺動するように構成してもよい。また、下限ストッパ部材７０および上限ストッパ部材８０と、揺動レバー４０（質量体４２）との当接に関しても、揺動レバー４０の後端部に代えて前端部が、鍵１０の離鍵および押鍵時に下限ストッパ部材７０および上限ストッパ部材８０に当接するようにしてもよい。
【００２８】
さらに、上記実施形態においては、鍵１０の押鍵時および離鍵時の鍵ストップ感を良好にするようにしたが、コスト低減のために押鍵時の鍵ストップ感のみを良好にするためには、鍵１０の押鍵時における揺動レバー４０（質量体４２）と上限ストッパ部材８０との接触面積を、鍵域ごとまたは鍵ごとに異ならせて高音域（高音）ほど小さくするようにすることも考えられる。具体的には、上限ストッパ部材８０の前後方向の幅、質量体４２の前後方向の長さ、またはそれらの両者を鍵ごとまたは鍵域ごとに異ならせることにより、揺動レバー４０（質量体４２）と上限ストッパ部材８０との接触面積を高音域（高音）ほど小さくすれば、構成を簡単にして最低限の良好な鍵ストップ感を得ることができる。
【図面の簡単な説明】
【００２９】
【図１】本発明の一実施形態に係る鍵盤装置の平面図である。
【図２Ａ】前記鍵盤装置の縦断側面図である。
【図２Ｂ】一つの白鍵を押鍵した状態を示す前記鍵盤装置の縦断側面図である。
【図３Ａ】下限ストッパ部材および上限ストッパ部材の平面図である。
【図３Ｂ】変形例に係る下限ストッパ部材および上限ストッパ部材の縦断面図である。
【図３Ｃ】他の変形例に係る上下ストッパ部材および下限ストッパ部材の縦断面図である。
【図４】(Ａ)〜(Ｄ)は、変形例に係る鍵盤装置の後部を示す縦断面図である。
【符号の説明】
【００３０】
１０…鍵、２０…鍵フレーム、３０…支持台、４０…揺動レバー、４２…質量体、７０…下限ストッパ部材、８０…上限ストッパ部材
【図１】
0004811137.tif 000002
【図２Ａ】
0004811137.tif 000003
【図２Ｂ】
0004811137.tif 000004
【図３Ａ】
0004811137.tif 000005
【図３Ｂ】
0004811137.tif 000006
【図３Ｃ】
0004811137.tif 000007
【図４】
0004811137.tif 000008